(57)【要約】【課題】  音声記録時における撮像のための電力消費を削減できる。【解決手段】  音声記録時において、撮影機能部への給電を停止した状態にしておき、前記シャッターボタンによる半押しを検出したことに応答して撮影機能部への給電を開始し、撮影機能部による画像記録が行われたことに応答して、再び給電を停止した状態に戻す。【選択図】  図２
2006140919.tif 000002
【特許請求の範囲】
【請求項１】
画像及び音声を記録可能な撮像装置であって、
音声を記録する音声記録手段と、
被写体を撮影して画像を得、前記画像を記録する撮影機能手段と、
前記撮影機能手段の動作開始を指示する指示手段と、
前記音声記録時において、前記撮影機能手段への給電を停止した状態にしておき、前記指示手段による指示を検出したことに応答して前記撮影機能手段への給電を開始し、前記撮影機能手段による画像記録が行われたことに応答して、再び前記給電を停止した状態に戻す電源制御手段と、を備えることを特徴とする撮像装置。
【請求項２】
前記撮影機能手段に関する画像情報を表示する撮影画像表示手段をさらに有し、
前記電源制御手段は、前記指示手段による指示を検出したことに応答して前記撮影画像表示手段への給電を開始し、前記撮影機能手段による画像記録が行われたことに応答して、再び撮影画像表示手段への給電を停止した状態に戻すことを特徴とする請求項１に記載の撮像装置。
【請求項３】
前記電源制御手段は、バッテリーまたはＡＣ電源のいずれかを選択的に用いた電源供給が可能であり、ＡＣ電源使用時は、前記給電の停止を行わないことを特徴とする請求項１または２に記載の撮像装置。
【請求項４】
前記指示手段は、半押し及び全押しが可能なシャッターボタンであり、前記電源制御手段は、前記シャッターボタンの半押しを検出したことに応答して、前記給電を開始することを特徴とする請求項１〜３のいずれかに記載の撮像装置。
【請求項５】
音声を記録する音声記録手段と、被写体を撮影して画像を得、前記画像を記録する撮影機能手段と、前記撮影機能手段の動作開始を指示する指示手段と、を備える撮像装置の制御方法であって、
前記音声記録時において、前記撮影機能手段への給電を停止した状態にしておき、前記指示手段による指示を検出したことに応答して前記撮影機能手段への給電を開始し、前記撮影機能手段による画像記録が行われたことに応答して、再び前記給電を停止した状態に戻す電源制御工程、を備えることを特徴とする撮像装置の制御方法。
【発明の詳細な説明】
【技術分野】
【０００１】
本発明は、画像及び音声を記録可能な撮像装置及び撮像装置の制御方法に関するものである。
【背景技術】
【０００２】
近年、講義や会議等で音声を記録するためにＩＣレコーダの利用が増えてきている。また、デジタルカメラの音声記録機能を利用しＩＣレコーダとして利用したり、デジタルカメラの機能を活かして音声記録と同時に画像記録して音声と関連付けるものもある（特許文献１参照）。また音声記録時には撮影機能の通電を遮断するものがある（特許文献２参照）。
【特許文献１】特開平１１−２０３７８３号公報
【特許文献２】特開２００１−２５１５４４号公報
【発明の開示】
【発明が解決しようとする課題】
【０００３】
しかしながら、音声記録中に撮影機能が駆動していると無駄に電力が消費されてしまう。しかし音声記録中に撮影機能の通電を遮断してしまうと、今度は撮影機能を利用することができない。
【０００４】
本発明は上述した問題点を解決するためのものであり、音声記録時における撮像のための電力消費を削減できる撮像装置及び撮像装置の制御方法を目的とする。
【課題を解決するための手段】
【０００５】
上記目的を達成するために、本発明の撮像装置は、画像及び音声を記録可能な撮像装置であって、音声を記録する音声記録手段と、被写体を撮影して画像を得、前記画像を記録する撮影機能手段と、前記撮影機能手段の動作開始を指示する指示手段と、前記音声記録時において、前記撮影機能手段への給電を停止した状態にしておき、前記指示手段による指示を検出したことに応答して前記撮影機能手段への給電を開始し、前記撮影機能手段による画像記録が行われたことに応答して、再び前記給電を停止した状態に戻す電源制御手段と、を備えることを特徴とする。
【０００６】
また、本発明の撮像装置の制御方法は、音声を記録する音声記録手段と、被写体を撮影して画像を得、前記画像を記録する撮影機能手段と、前記撮影機能手段の動作開始を指示する指示手段と、を備える撮像装置の制御方法であって、前記音声記録時において、前記撮影機能手段への給電を停止した状態にしておき、前記指示手段による指示を検出したことに応答して前記撮影機能手段への給電を開始し、前記撮影機能手段による画像記録が行われたことに応答して、再び前記給電を停止した状態に戻す電源制御工程、を備えることを特徴とする。
【発明の効果】
【０００７】
本発明によれば、音声のみの記録時では、音声記録以外の機能への通電を遮断することで消費電力の抑制を図ることができる。また、音声記録時に画像記録を行う際、音声記録を中断することなく、シャッターボタンの操作のみで画像記録部の電源をオンし、画像記録が可能となる。
【発明を実施するための最良の形態】
【０００８】
以下、図面を参照して本発明の実施の形態を説明する。
【０００９】
（第１の実施形態）
図１は本発明に関る画像記録再生装置のブロック構成を示す図である。同図において、１０１は記録再生可能なメモリーカード、１０２は被写体を映像信号に変換する撮像部、１０３は各部の制御を行うシステムコントロール部、１０４は撮像部１０２の映像信号の処理を行うカメラ撮像信号処理回路、１０５はマイク、１０６はマイク１０５からの音声信号の処理を行う音声信号処理回路、１０７はカメラ撮像信号処理回路において処理された映像信号、音声信号回路において処理された音声信号、メモリーカードへの記録、メモリーカードから再生された画像データおよび音声データの処理を行う、記録再生データ処理回路、１０８はメモリーカードのコントロールを行うＳＤ／ＭＭＣカードコントローラー、１０９は画面表示用の文字信号発生回路、１１０は撮影画像の表示や再生画像の表示を行う液晶パネル、１１１は音声データを再生するスピーカー、１１２は記録や再生時に画像データおよび音声データのバッファリングを行うためのメモリ、１１３は記録再生装置を駆動するためのバッテリー、１１４はＡＣ電源、１１５はバッテリー駆動およびＡＣ電源駆動を判別し、撮像部１０２、カメラ信号処理回路１０４、及びＬＣＤパネル１１０のバックライトへの電力供給を制御する電源制御部、１１６〜１１９は画像記録再生装置の操作を行う操作スイッチであり、１１６は静止画撮影用スイッチ、１１７は動画撮影用スイッチ、１１８は音声記録用スイッチである。
【００１０】
本実施形態の動作処理手順を図２のフローチャートに示す。
【００１１】
音声記録用スイッチ１１８を押下し音声記録スタート（ステップＳ１０１）すると、システムコントローラー１０３及び電源制御部１１５により撮像部１０２、カメラ信号処理回路１０４、及びＬＣＤパネル１１０のバックライトへの電源供給を遮断し（ステップＳ１０２）、省エネモードに移行する。
【００１２】
音声記録中に静止画撮影用スイッチ１１６を半押しする（ステップＳ１０４）と音声記録を終了せずに、システムコントローラー１０３及び電源制御部１１５により撮像部１０２、カメラ信号処理回路１０４（以上をここでは撮影機能部という）、及びＬＣＤパネル１１０のバックライト（以上をここでは撮影画像表示部という）への電源供給を行い（ステップＳ１０５）、静止画撮影可能状態へ移行する。
【００１３】
静止画撮影用スイッチ１１６が全押し（ステップＳ１０６）されたら音声記録を行いつつ、メモリーカード１０１へ撮影画像を記録する（ステップＳ１０７）。記録終了後は再度省エネモードに移行し撮影機能部および撮影画像表示部への電源供給を遮断する（ステップＳ１０２）。音声記録用スイッチ１１８を再度押下する（ステップＳ１０３）ことで音声記録を終了する（ステップＳ１０８）。
【００１４】
以上説明したように、本実施形態では、音声のみの記録時では、音声記録以外の機能への通電を遮断することで消費電力の抑制を図ることができる。また、音声記録時に画像記録を行う際、音声記録を中断することなく、シャッターボタンの操作のみで画像記録部の電源をオンし、画像記録が可能となる。
【００１５】
（第２の実施形態）
次に、本発明の第２の実施形態を図画を参照しつつ説明する。
【００１６】
本実施形態の画像記録再生装置のブロック構成は第１の実施形態と同様である。実施形態の動作手順を図３のフローチャートに示す。
【００１７】
音声記録用スイッチ１１８を押下し音声記録スタート（ステップＳ２０１）し、バッテリー駆動であれば（ステップＳ２０２）、システムコントローラー１０３及び電源制御部１１５により撮像部１０２、カメラ撮像信号処理回路１０４、及びＬＣＤパネル１１０のバックライトへの電源供給を遮断し（ステップＳ２０３）省エネモードに移行する。
【００１８】
音声記録中に静止画撮影用スイッチ１０１を半押しする（ステップＳ２０５）と音声記録を終了せずに、システムコントローラー１０３及び電源制御部１１５により撮像部１０２、カメラ信号処理回路１０４（以上をここでは撮影機能部という）、及びＬＣＤパネル１０１（以上をここでは撮影画像表示部という）への電源供給を行い（ステップＳ２０６）、静止画撮影可能状態へ移行する。
【００１９】
静止画撮影用スイッチ１１６が全押しされたら（ステップＳ２０７）メモリーカード１０１へ撮影画像を記録する（ステップＳ２０８）。記録終了後は再度省エネモードに移行し撮影機能部および撮影画像表示部への電源供給を遮断する（ステップＳ２０３）。
【００２０】
またＡＣ電源駆動であれば（ステップＳ２０２）省エネモードに移行せず、静止画撮影用スイッチ１１６が全押しされたら（ステップＳ２１０）、音声記録を行いつつ、メモリーカード１０１へ撮影画像を記録する（ステップＳ２１１）。音声記録用スイッチ１１８を再度押下する（ステップＳ２０４）、（ステップＳ２０９）ことで音声記録を終了する（ステップ２１２）。
【００２１】
以上説明したように、本実施形態では、ＡＣ電源を接続している場合は、撮影機能部及び撮影画像表示部のオンオフ制御を行わないので、ユーザにとって違和感のない画像撮影が可能となる。
【００２２】
（他の実施形態）
上記実施形態では、記録される画像と音声との関係については、詳細に述べていないが、画像記録のステップにおいて、データ取得時刻等を利用し、画像データを音声データに関連づけて記録するようにしてもよい。
【００２３】
また、画像データの付随情報として撮影モードを特定する情報を記録しておき、後でＬＣＤパネルを使用して画像を再生させる際に、音声モードで記録された画像である旨を表示するようにしてもよい。
【００２４】
また、後で記録した音声を再生させる際に、上記関連付け情報を利用し、音声を記録した時間のうち撮影を行った瞬間の前、後、または前後の所定時間のみ、対応する画像をＬＣＤパネルに表示すれば、再生時の省電力も可能となる。
【００２５】
また、上記実施形態では、シャッターボタンの半押し状態で、撮影画像表示部（ＬＣＤパネル）のパワーをＯＮにするようにした。これは撮影画像表示部において被写体の画角を確認するためのものであるが、その必要がなければ、撮影画像表示部（ＬＣＤパネル）はＯＦＦのまま、撮影機能部のみをＯＮにするよう構成してもよい。この場合さらなる省電力が可能となる。また、音声モードで撮影時における撮影画像表示部（ＬＣＤパネル）のパワーＯＮ／ＯＦＦを予め設定できるようにしておけば、ユーザの好みや能力に応じた柔軟な撮像が可能となる。
【図面の簡単な説明】
【００２６】
【図１】本発明の実施形態を示す電子撮像装置のブロック図
【図２】本発明の第１の実施形態におけるフローチャート
【図３】本発明の第２の実施形態におけるフローチャート
【符号の説明】
【００２７】
１０１  メモリーカード
１０２  撮像装置
１０３  システムコントローラー
１０４  映像信号処理回路ブロック
１０５  マイク
１０６  音声信号処理回路
１０７  記録再生データ処理回路
１０８  ＳＤ／ＭＭＣカードコントローラー
１０９  文字信号発生回路
１１０  液晶パネル
１１１  スピーカー
１１２  データメモリ
１１３  バッテリー
１１４  ＡＣ電源
１１５  電源制御部
１１６〜１１９  操作スイッチ
【図１】
2006140919.tif 000003
【図２】
2006140919.tif 000004
【図３】
2006140919.tif 000005